(57)【要約】【課題】  室内の美観を損なう恐れをより低減することができる空気調和機の室内機を提供する。【解決手段】  空気調和機の室内機２ｃは、ケーシング本体２３と正面パネル２４ｃとを備える。ケーシング本体２３は、室内へと吹き出される空気が通る吹出し口２６と、室内から取り込まれる空気が通る第１吸込み口２７とを有する。正面パネル２４ｃは、正面視において吹出し口２６と第１吸込み口２７とを覆い、吹出し口２６と第１吸込み口２７とを開閉する。そして、正面パネル２４ｃは、第１平面部２４５と第２平面部２４６とを有する。第１平面部２４５は、第１吸込み口２７を閉じた状態で第１吸込み口２７よりも大きな投影面積を有する。第２平面部２４６は、吹出し口２６を閉じた状態で吹出し口２６よりも大きな投影面積を有し、第１平面部２４５と所定角度で繋がっている。【選択図】      図２
2005098684.tif 000002
【特許請求の範囲】
【請求項１】
室内へと吹き出される空気が通る吹出し口（２６）と室内から取り込まれる空気が通る吸込み口（２７）とを有するケーシング（２３）と、
正面視において前記吹出し口（２６）と前記吸込み口（２７）とを覆い、前記吹出し口（２６）と前記吸込み口（２７）とを開閉する正面パネル（２４ｃ）と、
を備え、
前記正面パネル（２４ｃ）は、前記吸込み口（２７）を閉じた状態で前記吸込み口（２７）よりも大きな投影面積を有する第１平面部（２４５）と、前記吹出し口（２６）を閉じた状態で前記吹出し口（２６）よりも大きな投影面積を有し前記第１平面部（２４５）と所定角度で繋がった第２平面部（２４６）とを有する、
空気調和機の室内機（２ｃ）。
【請求項２】
前記吹出し口（２６）の出口は傾斜した形状となっており、
前記第２平面部（２４６）は、前記吹出し口（２６）の出口の形状に沿うように傾斜して配置され、前記第１平面部（２４５）の下端に所定角度で繋がっている、
請求項１に記載の空気調和機の室内機（２ｃ）。
【請求項３】
前記正面パネル（２４ｃ）は、斜め上方へ移動して前記吹出し口（２６）と前記吸込み口（２７）とを開く、
請求項２に記載の空気調和機の室内機（２ｃ）。
【請求項４】
第１平面部（２４５）は鉛直方向に平行になっている、
請求項１から３のいずれかに記載の空気調和機の室内機（２ｃ）。
【請求項５】
前記第１平面部（２４５）と第２平面部（２４６）とは共に平坦な平板状の形状を有する、
請求項１から４のいずれかに記載の空気調和機の室内機（２ｃ）。
【請求項６】
前記第１平面部（２４５）は、正面視において前記ケーシング（２３）の幅（Ｗ）と略同じ幅を有する、
請求項１から５のいずれかに記載の空気調和機の室内機（２ｃ）。
【請求項７】
前記第２平面部（２４６）は、正面視において前記ケーシング（２３）の幅（Ｗ）と略同じ幅を有する、
請求項１から６のいずれかに記載の空気調和機の室内機（２ｃ）。
【請求項８】
前記第１平面部（２４５）と前記第２平面部（２４６）とは、継目なく一体となっている、
請求項１から７のいずれかに記載の空気調和機の室内機（２ｃ）。
【請求項９】
前記正面パネル（２４ｃ）は、正面視において前記ケーシング（２３）の正面の略全体を覆う、
請求項１から８のいずれかに記載の空気調和機の室内機（２ｃ）。
【請求項１０】
前記第２平面部（２４６）は、前記吹出し口（２６）を開く際に、前記ケーシング（２３）に近接した状態で移動する、
請求項１から９のいずれかに記載の空気調和機の室内機（２ｃ）。
【発明の詳細な説明】
【技術分野】
【０００１】
本発明は空気調和機の室内機に関する。
【背景技術】
【０００２】
近年、室内の空気調和を行う空気調和機の室内機がよく利用されている。この室内機は、室内に配置されるため、居住者等の視野に入ることが多い。このため、室内機が室内の美観を損なわないことが重要である。しかし、室内機のケーシングには室内へと吹き出す空気が通る吹出し口が設けられることが通常である。室内機は、吹出し口から調和空気を室内へ吹出すことにより室内の空気調和を行う。この吹出し口は、室内機のケーシングの正面に設けられることが多く、室内の居住者等の目に触れ易い。従って、室内機の外観と室内の壁面等との調和が妨げられ、室内の美観が損なわれる恐れがある。
【０００３】
一方、上記のような従来の空気調和機の室内機では、吹出し口を開閉する水平フラップが設けられことが多い（特許文献１参照）。この水平フラップは、室内機の運転時には吹出し口を開いて、吹出し口から吹出される空気を案内する。そして、室内機の運転停止時には、水平フラップが吹出し口を閉じる。これにより、室内機の運転停止時に吹出し口が居住者等の視野に入ることが防止され、室内の美観を損なう恐れが低減する。
【特許文献１】特許第３３３４６８８号明細書
【発明の開示】
【発明が解決しようとする課題】
【０００４】
しかし、上記のような空気調和機の室内機では、依然として室内の美観が損なわれる恐れがある。すなわち、図４に示す室内機２００のように、水平フラップ２０１によって吹出し口２０２が閉じられる場合においても、正面視において、水平フラップ２０１と吹出し口２０２との間の継目が表れることが多い。また、空気調和機の室内機では、吹出し口だけではなく吸込み口が正面に配置されることがある。この場合、吹出し口と同様に、吸込み口が居住者等の視野に入ると室内の美観を損なう恐れがある。また、吸込み口を開閉するパネルを設けて、空気調和機の運転停止時に吸込み口を閉じることが従来より行われているが、吸込み口とパネルとの継目が正面視において表れて、室内の美観を損なう恐れがある。
【０００５】
このような室内機では、室内の美観が損なわれる恐れがある。
本発明の課題は、室内の美観を損なう恐れをより低減することができる空気調和機の室内機を提供することにある。
【課題を解決するための手段】
【０００６】
第１発明にかかる空気調和機の室内機は、ケーシングと正面パネルとを備える。ケーシングは、室内へと吹き出される空気が通る吹出し口と、室内から取り込まれる空気が通る吸込み口とを有する。正面パネルは、正面視において吹出し口と吸込み口とを覆い、吹出し口と吸込み口とを開閉する。そして、正面パネルは、第１平面部と第２平面部とを有する。第１平面部は、吸込み口を閉じた状態で吸込み口よりも大きな投影面積を有する。第２平面部は、吹出し口を閉じた状態で吹き出し口よりも大きな投影面積を有し、第１平面部と所定角度で繋がっている。
【０００７】
この空気調和機の室内機では、第１平面部は、吸込み口を閉じた状態において正面視において吸込み口よりも大きな投影面積を有する。このため、第１平面部は、正面視において、吸込み口を隠すことができる。また、第２平面部は、吹き出し口を閉じた状態において正面視において吹き出し口よりも大きな投影面積を有する。このため、第２平面部は、正面視において、吹き出し口を隠すことができる。このように、この空気調和機の室内機では、吸込み口や吹出し口によって室内の美観が損なわれる恐れを低減することができる。
【０００８】
第２発明にかかる空気調和機の室内機は、第１発明の空気調和機の室内機であって、吹出し口の出口は傾斜した形状となっている。そして、第２平面部は、吹出し口の出口の形状に沿うように傾斜して配置され、第１平面部の下端に所定角度で繋がっている。
この空気調和機の室内機では、正面パネルの第２平面部は、吹出し口に沿った形状となっている。このため、ケーシングの形状が長方形ではなく吹出し口の出口が傾斜した形状となっている場合においても、正面パネルによって室内機の正面を覆うことができる。これにより、この空気調和機の室内機では、運転停止時の室内機の正面視における美観が向上する。
【０００９】
第３発明にかかる空気調和機の室内機は、第２発明の空気調和機の室内機であって、正面パネルは、斜め上方へ移動して吹出し口と吸込み口とを開く。
この空気調和機の室内機では、正面パネルは斜め上前方へと移動する。このように正面パネルが移動することにより、第１平面部が吸込み口から離反して、吸込み口が開かれる。また、第２平面部が吹出し口から離反して吹出し口が開かれる。
【００１０】
第４発明にかかる空気調和機の室内機は、第１発明から第３発明のいずれかの空気調和機の室内機であって、第１平面部は鉛直方向に平行になっている。
この空気調和機の室内機では、吸込み口や吹出し口によって室内の美観が損なわれる恐れを低減することができる。
第５発明にかかる空気調和機の室内機は、第１発明から第４発明のいずれかの空気調和機の室内機であって、第１平面部と第２平面部とは共に平坦な平板状の形状を有する。
【００１１】
この空気調和機の室内機では、吸込み口や吹出し口によって室内の美観が損なわれる恐れを低減することができる。
第６発明にかかる空気調和機の室内機は、第１発明から第５発明のいずれかの空気調和機の室内機であって、第１平面部は、正面視においてケーシングの幅と略同じ幅を有する。
【００１２】
この空気調和機の室内機では、第１平面部は、ケーシングの幅と略同じ幅を有する。このため、第１平面部は、ケーシングの幅方向の略全体に亘ってケーシングを覆うことができる。これにより、この空気調和機の室内機では、美観が損なわれる恐れをより低減することができる。
第７発明にかかる空気調和機の室内機は、第１発明から第６発明のいずれかの空気調和機の室内機であって、第２平面部は、正面視においてケーシングの幅と略同じ幅を有する。
【００１３】
この空気調和機の室内機では、第２平面部は、ケーシングの幅と略同じ幅を有する。このため、第２平面部は、ケーシングの幅方向の略全体に亘ってケーシングを覆うことができる。これにより、この空気調和機の室内機では、美観が損なわれる恐れをより低減することができる。
第８発明にかかる空気調和機の室内機は、第１発明から第７発明のいずれかの空気調和機の室内機であって、第１平面部と第２平面部とは、継目なく一体となっている。
【００１４】
この空気調和機の室内機では、第１平面部と第２平面部とは、継目なく一体となっているため、室内機の正面視に表れる継目を低減することができる。これにより、この空気調和機の室内機では、美観が損なわれる恐れをより低減することができる。
第９発明にかかる空気調和機の室内機は、第８発明の空気調和機の室内機であって、正面パネルは、正面視においてケーシングの正面の略全体を覆う。
【００１５】
この空気調和機の室内機では、継目のない一枚の正面パネルによって、ケーシングの幅方向の略全体に亘ってケーシングが覆われる。このため、室内機の正面視に表れる継目がさらに低減する。これにより、この空気調和機の室内機では、美観が損なわれる恐れをより低減することができる。
第１０発明にかかる空気調和機の室内機は、第１発明から第９発明のいずれかの空気調和機の室内機であって、第２平面部は、吹出し口を開く際に、ケーシングに近接した状態で移動する。
【００１６】
この空気調和機の室内機では、第２平面部は、吹出し口を開く際に、ケーシングに近接した状態で移動するため、第２平面部とケーシングとの隙間が小さい。従って、吹出し口から吹き出された空気が第２平面部とケーシングとの間から漏れてしまうショートサーキットの発生を抑えることができる。
【発明の効果】
【００１７】
第１発明にかかる空気調和機の室内機では、第１平面部は、正面視において吸込み口を隠すことができ、第２平面部は正面視において吹き出し口を隠すことができる。このため、この空気調和機の室内機では、吸込み口や吹出し口によって室内の美観が損なわれる恐れを低減することができる。
第２発明にかかる空気調和機の室内機では、ケーシングの形状が長方形ではなく吹出し口の出口が傾斜した形状となっている場合においても、正面パネルによって室内機の正面を覆うことができる。これにより、この空気調和機の室内機では、運転停止時の室内機の正面視における美観が向上する。
【００１８】
第３発明にかかる空気調和機の室内機では、正面パネルは斜め上前方へと移動することにより、第１平面部が吸込み口から離反して、吸込み口が開かれる。また、第２平面部が吹出し口から離反して吹出し口が開かれる。
第４発明にかかる空気調和機の室内機では、吸込み口や吹出し口によって室内の美観が損なわれる恐れを低減することができる。
【００１９】
第５発明にかかる空気調和機の室内機では、吸込み口や吹出し口によって室内の美観が損なわれる恐れを低減することができる。
第６発明にかかる空気調和機の室内機では、第１平面部は、ケーシングの幅方向の略全体に亘ってケーシングを覆うことができ、美観が損なわれる恐れをより低減することができる。
【００２０】
第７発明にかかる空気調和機の室内機では、第２平面部は、ケーシングの幅方向の略全体に亘ってケーシングを覆うことができ、美観が損なわれる恐れをより低減することができる。
第８発明にかかる空気調和機の室内機では、第１平面部と第２平面部とは、継目なく一体となっているため、室内機の正面視に表れる継目を低減することができる。これにより、この空気調和機の室内機では、美観が損なわれる恐れをより低減することができる。
【００２１】
第９発明にかかる空気調和機の室内機では、室内機の正面視に表れる継目がさらに低減するため、美観が損なわれる恐れをより低減することができる。
第１０発明にかかる空気調和機の室内機では、第２平面部は、吹出し口を開く際に、ケーシングに近接した状態で移動するため、第２平面部とケーシングとの隙間が小さい。従って、吹出し口から吹き出された空気が第２平面部とケーシングとの間から漏れてしまうショートサーキットの発生を抑えることができる。
【発明を実施するための最良の形態】
【００２２】
〔空気調和機の全体構成〕
本発明の一実施形態にかかる空気調和機１の構成および冷媒回路の概略を図１に示す。
この空気調和機１は、室内の壁面などに取り付けられる室内機２ｃと、室外に設置される室外機３とを備えている。
この空気調和機１の冷媒回路は、主として室内熱交換器２０、アキュムレータ３１、圧縮機３２、四路切換弁３３、室外熱交換器３０および電動膨張弁３４で構成される。
【００２３】
室内機２ｃに設けられている室内熱交換器２０は、接触する空気との間で熱交換を行う。また、室内機２ｃには、室内空気を吸い込んで室内熱交換器２０に通し熱交換が行われた後の空気を室内に排出するための室内ファン２１が設けられている。室内ファン２１は、室内機２ｃ内に設けられる室内ファンモータ２２によって回転駆動される。室内機２ｃの詳細な構成については後に説明する。
【００２４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００２５】
〔室内機の構成〕
図２（ａ）に室内機２ｃの正面図、図２（ｂ）に室内機２ｃの側面断面図を示す。図２（ａ）と図２（ｂ）とは、運転停止時の室内機２ｃを示している。
室内機２ｃは、室内の側壁に設けられる壁掛け型の室内機であり、ケーシング本体２３と正面パネル２４ｃとを備える。
【００２６】
［ケーシング本体］
ケーシング本体２３は、正面視において水平方向に長い長方形の形状を有し、側面視において鉛直方向に長い長方形の断面形状を有する。ケーシング本体２３内には、上述した室内熱交換器２０、室内ファン２１、室内ファンモータ２２（図示せず）などが備えられている。図２（ｂ）に示すように、側面視において、室内ファン２１がケーシング本体２３の中央に配置され、逆Ｖ字型の形状を有する室内熱交換器２０が室内ファン２１の上半分を囲むように配置されている。また、ケーシング本体２３には吸込み口２５と吹出し口２６とが設けられている。
【００２７】
吸込み口２５は、室内ファン２１によって室内からケーシング本体２３内へと取り込まれる空気が通る開口であり、第１吸込み口２７と第２吸込み口２８とがある。第１吸込み口２７は、正面視において水平方向に長い形状を有し、その長さはケーシング本体２３の幅Ｗよりも若干小さい。第1吸込み口２７は、図２（ｂ）に示すように、ケーシング本体２３の正面の中央付近に設けられ、室内熱交換器２０の正面側と対向している。第２吸込み口２８は、ケーシング本体２３の長手方向に長い複数のスリットによって構成されており、ケーシング本体２３の天面に設けられている。
【００２８】
吹出し口２６は、室内ファン２１によって室内熱交換器２０を通り室内へと吹出される空気が通る開口である。吹出し口２６は、水平方向に長い形状を有し、その長さはケーシング本体２３の幅Ｗよりも若干小さい。また、吹出し口２６はケーシング本体２３の下部近傍であって、ケーシング本体２３の正面に設けられている。
また、吹出し口２６近傍には水平フラップ２９が設けられている。水平フラップ２９は、室内機２ｃの長手方向に長い形状を有する板状の部材であり、吹出し口２６から吹き出される空気を案内する。水平フラップ２９は、室内機２ｃの長手方向に平行な回転軸を有しており、回転軸を中心に回転することにより、空気の案内方向を変更する。
【００２９】
［正面パネル］
正面パネル２４ｃは、室内機２ｃの正面全体を覆う。正面パネル２４ｃは、吹出し口２６と第１吸込み口２７とを開閉する。正面パネル２４ｃは、吹出し口２６と第１吸込み口２７とを閉じた状態において、正面視において吹出し口２６と第１吸込み口２７とを覆う。この正面パネル２４ｃは、正面視において継目を有さない板状部材であり、第１平面部２４５と第２平面部２４６とを有する。第１平面部２４５と第２平面部２４６とは共に平坦な平板状の形状を有している。
【００３０】
第２平面部２４６は、水平方向に長い長方形の形状を有しており、継目を有さない長方形の平板状の部材である。第２平面部２４６は、正面視におけるケーシング本体２３の幅Ｗと略同じ幅を有する。第２平面部２４６は、ケーシング本体２３の正面の下方に吹出し口２６の出口の形状に沿うように傾斜して配置されており、吹出し口２６を閉じる。第２平面部２４６は、吹出し口２６を開閉する。第２平面部２４６は、吹出し口２６を閉じた状態においては、正面視において吹出し口２６よりも大きな投影面積を有する。
【００３１】
第１平面部２４５は、第２平面部２４６と同様に、継目を有さない長方形の平板状の部材であり、水平方向に長い長方形の形状を有している。第１平面部２４５は、鉛直方向に平行になっており、第１吸込み口２７を閉じる。第１平面部２４５は、正面視において第１吸込み口２７を含むケーシング本体２３の幅Ｗと略同じ幅を有する。第１平面部２４５は、ケーシング本体２３の正面の上方に配置されている。第１平面部２４５は、図示しない移動機構によって移動可能に支持されており、第１吸込み口２７を開閉する。第１平面部２４５は、第１吸込み口２７を閉じた状態においては、図２（ｂ）のように、鉛直方向に平行な状態となる。また、この状態では、第１平面部２４５は、第２平面部２４６の上方に位置しており、正面視において第１吸込み口２７よりも大きな投影面積を有する。従って、第１平面部２４５は、第１吸込み口２７を閉じた状態においては、第１吸込み口２７を含むケーシング本体２３の正面の上半分を完全に覆う。
【００３２】
また、第２平面部２４６の上端は、第１平面部２４５の下端に所定の角度で繋がっており、第１平面部２４５と第２平面部２４６とは、継目なく一体となっている。
このように、第２平面部２４６と第１平面部２４５とによって構成される正面パネル２４ｃは、吹出し口２６と第１吸込み口２７とを閉じた状態においては、図２（ａ）に示すように、室内機２ｃの正面全体を略完全に覆う状態となる。従って、この状態では、正面視においては、正面パネル２４ｃのみが居住者等の視野に入り、吹出し口２６および第１吸込み口２７は、居住者等の視野に入らない。なお、第１平面部２４５は鉛直方向に平行となっており、第２平面部２４６は、吹出し口２６の出口の形状に沿うように傾斜して配置されている。
【００３３】
［室内機の動作］
次に、空気調和機１の室内機２ｃが空調運転を行う場合の動作について説明する。
室内機２ｃが停止している場合、正面パネル２４ｃは上記のように吹出し口２６と第1吸込み口２７とを閉じた状態となっている。
室内機２ｃが運転を行う場合、まず、室内ファン２１が低回転で起動される。
【００３４】
次に、正面パネル２４ｃが移動し、吹出し口２６と第１吸込み口２７とが開かれる。これにより、室内機２ｃへ取り込まれる空気の風量が確保されると共に、水平方向への空気の吹き出しが行われる。このとき、正面パネル２４ｃは斜め上前方へと移動する。なお、正面パネル２４ｃは、直接に前方斜め上へ向けて移動してもよく、前方への平行移動と上方への移動とを組み合わせて移動してもよい。正面パネル２４ｃが移動することにより、第１平面部２４５が第１吸込み口２７から離反して、第１吸込み口２７が開かれる。また、第２平面部２４６が吹出し口２６から離反して吹出し口２６が開かれる。なお、第２平面部２４６は、ケーシング本体２３の前面に近接した状態で移動する。第２平面部２４６とケーシング本体２３とは、擦れによる傷の発生を防止する観点からは第２平面部２４６の移動中に接触しないことが望ましく、第２平面部２４６とケーシング本体２３との間に約１ｍｍないし２ｍｍの隙間を隔てていることがより望ましい。
【００３５】
正面パネル２４ｃが移動して吹出し口２６と第１吸込み口２７とが開かれた後、水平フラップ２９が、設定された運転モードに対応した吹出し角度となるように回転移動する。
以上のように、室内機２ｃの運転が行われる、
室内機２ｃが運転を停止する場合には、正面パネル２４ｃが移動し、図２（ａ）および図２（ｂ）のように、吹出し口２６と第１吸込み口２７とが閉じられた状態に戻る。
【００３６】
〔特徴〕
（１）
この空気調和機１の室内機２ｃでは、運転停止時には、継目のない一枚の正面パネル２４ｃによって吸込み口２５と吹出し口２６との両方が覆われる。このため、室内機２ｃの運転停止時においては、正面視において室内機２ｃに継目が表れない。また、正面パネル２４ｃの第２平面部２４６は、吹出し口２６に沿った形状となっている。このため、ケーシング本体２３の側面形状が長方形ではなく吹出し口２６の出口が傾斜した形状となっている場合においても、継目のない平滑な正面パネル２４ｃで室内機２ｃの正面を覆うことができる。これにより、この空気調和機１の室内機２ｃでは、運転停止時の室内機２ｃの正面視における外観と室内の壁面とが調和し、美観が向上する。
【００３７】
（２）
一般に、壁掛け型の室内機は、室内の壁面に配置されるため、正面部分が居住者等の視野に入り易い。また、室内機の正面部分の面積が大きいことが多い。このため、運転停止時に正面視における美観が向上する本発明が特に有効である。
（３）
この空気調和機１の室内機２ｃでは、運転時においては正面パネル２４ｃが移動することによって、吹出し口２６と第１吸込み口２７とが開かれる。このため、室内機２ｃへの空気の吸い込みと、室内機２ｃからの空気の吹出しとを十分に行うことができる。
【００３８】
（４）
この空気調和機１の室内機２ｃでは、正面パネル２４ｃが開かれる前に、室内ファン２１が低回転で起動される。この場合、正面パネル２４ｃが閉じられた状態で室内ファン２１が回転するため、室内機２ｃの内部の空気が攪拌される。これにより、冷房運転時においては、室内機２ｃの内部にこもった臭いが室内熱交換器２０に結露した水分に吸着される。従って、室内へと漏れる臭いを低減することができる。また、暖房時においては、室内熱交換器２０の温度が上昇するまで正面パネル２４ｃを閉じておくことにより、運転初期のドラフト感を低減することができる。
【００３９】
（５）
この空気調和機１の室内機２ｃでは、吹出し口２６を開く際に第１平面部２４５がケーシング本体２３に近接しているため、吹出し口２６から吹出された空気が第１平面部２４５とケーシング本体２３との間の隙間から漏れて第１吸込み口２７から再び吸込まれるショートサーキットが生じることを抑えることができる。
【産業上の利用可能性】
【００４０】
本発明は、室内の美観を損なう恐れをより低減することができる効果を有し、空気調和機の室内機として有用である。
【図面の簡単な説明】
【００４１】
【図１】空気調和機の構成および冷媒回路の構成を表す図。
【図２】（ａ）室内機の運転停止時の正面図。（ｂ）室内機の運転停止時の側面断面図。
【図３】（ａ）室内機の運転停止時の側面断面図。（ｂ）室内機の運転時の側面断面図。
【図４】従来の空気調和機の室内機の正面図。
【符号の説明】
【００４２】
１        空気調和機
２ｃ      室内機
２３      ケーシング本体（ケーシング）
２４ｃ    正面パネル
２６      吹出し口
２７      第１吸込み口（吸込み口）
２４５    第１平面部
２４６    第２平面部
Ｗ        ケーシング本体の幅（ケーシングの幅）
【図１】
2005098684.tif 000003
【図２】
2005098684.tif 000004
【図３】
2005098684.tif 000005
【図４】
2005098684.tif 000006